(57)【要約】【課題】故障時でも動作設定情報を簡単に転送し保存できるようにする。【解決手段】電子機器としての空調装置１Ａは、浴室５１に設置される空調ユニット（本体）１１と、運転モードを選択する操作部（リモコン）４１Ａを有する。それぞれの制御部には不揮発性のメモリを有し、同一の動作設定情報が設定値として保存されている。操作部側を基準にするならば、操作部側の動作設定情報が本体側のメモリにバックアップされる。操作部側制御基板が故障して交換したときには、操作部側の新しいメモリに本体側のメモリの情報を転送して保存し、本体側制御基板が故障して交換したときは、本体側の新しいメモリに操作部側の情報を転送して保存することで、動作設定情報の再設定操作処理をなくす。【選択図】        図１
2007318572.tif 000002
【特許請求の範囲】
【請求項１】
操作部で選択した制御モードを実行する制御部を備えた電子機器であって、
前記操作部によって設定された前記制御モードに関連した設定項目に対応した制御情報を保存する、前記操作部内に設けられた第１のメモリと、
前記操作部からの前記制御情報を保存する、前記制御部内に設けられた第２のメモリとを有し、
前記第１と第２のメモリの間で、保存された前記制御情報が相互に転送できるようになされた
ことを特徴とする電子機器。
【請求項２】
前記第１のメモリに保存された制御情報の内容が変更されたときは、前記第２のメモリの前記制御情報の内容も変更される
ことを特徴とする請求項１記載の電子機器。
【請求項３】
前記第１および第２のメモリは、不揮発性メモリである
ことを特徴とする請求項１記載の電子機器。
【請求項４】
前記電子機器は、運転モードを選択する操作部と、運転モードに応じて設定された動作設定情報にしたがって、前記操作部で選択された運転モードを実行する制御部とを備えた空調装置であって、
前記第１のメモリには、前記操作部で選択した制御モードに関連した設定項目ごとの制御情報が動作設定情報として保存され、
前記第２のメモリには、前記第１のメモリに保存された制御情報が動作設定情報として保存され、
前記第１と第２のメモリの間で、保存された前記動作設定情報が相互に転送できるようになされた
ことを特徴とする請求項１記載の電子機器。
【発明の詳細な説明】
【技術分野】
【０００１】
本発明は、浴室や脱衣所等の室内の暖房、乾燥、換気等を行う空調装置などに適用できる電子機器に関する。
【背景技術】
【０００２】
操作部で選択した制御モードを実行する制御部を備えた電子機器としては多種多様な装置が存在する。その１つとして、浴室の暖房と乾燥機能等を備えた空調装置を挙げることができる。
【０００３】
この種空調装置にあっては、換気風量の設定や、浴室の換気と連動した例えばトイレ換気の停止を遅延させる時間（トイレ遅延等と称される）の設定などの各種動作設定が行われる。
【０００４】
従来の空調装置では、各種設定値の変更は、操作部を構成するリモートコントロール装置の内部に備えたＤＩＰスイッチで行うように構成されている（例えば、特許文献１）。
【０００５】
最近の空調装置では、設定可能な換気風量の増加や、動作制御機能の増加に伴って、利用者が自由に設定できる設定項目数が増加する傾向にある。したがって上述したＤＩＰスイッチによる動作設定を利用する場合では、細かな設定ができないこと、設定すべき項目が多いと、ＤＩＰスイッチの数が増えるためコストアップを招来したり、設定作業が面倒になるなどの問題が指摘されている。
【０００６】
このような面倒な設定作業などを軽減するものとして、リモートコントロール装置内にメモリを備え、リモートコントロール装置に備えられた操作ボタンを利用して設定値を変更し、変更した動作設定情報をメモリに保存するようにした空調装置が提案されている（例えば、特許文献２）。
【０００７】
さらには、このリモートコントロール装置が故障したような場合の対策として、特許文献２には、故障したリモートコントロール装置を新品に交換するとき、故障したリモートコントロール装置のメモリに保存されている情報を、そのまま新しいリモートコントロール装置のメモリに移植できるようにした技術も開示されている。
【０００８】
【特許文献１】特開平６−１６９４９号公報
【特許文献２】特許第２８２５１４２号
【発明の開示】
【発明が解決しようとする課題】
【０００９】
ところで、特許文献２に開示された技術は、故障したリモートコントロール装置のメモリに保存されている情報を、このリモートコントロール装置の正常動作時に予め別の外部記憶手段に保存しておかなければならない。そのため、外部記憶手段には、本来の情報記憶用のメモリの他に、このメモリに対する書き込みや読み出しを行う周辺回路まで搭載する必要があり、外部記憶手段としての構成が複雑化する嫌いがある。
【００１０】
そこで、この発明では制御部などが交換されたようなときでも、制御部のメモリに保存された動作設定情報などの制御情報を、再設定することなく利用できるようにした電子機器を提案するものである。
【課題を解決するための手段】
【００１１】
上述した課題を解決するため、本発明は、操作部で選択した制御モードを実行する制御部を備えた電子機器であって、
前記操作部によって設定された前記制御モードに関連した設定項目に対応した制御情報を保存する、前記操作部内に設けられた第１のメモリと、
前記操作部からの前記制御情報を保存する、前記制御部内に設けられた第２のメモリとを有し、
前記第１と第２のメモリの間で、保存された前記制御情報が相互に転送できるようになされたことを特徴とする。
【００１２】
この発明において、操作部で選択した制御モードを実行する制御部を備えた電子機器としては、運転モードを選択する操作部と、運転モードに応じて設定された動作設定情報にしたがって、前記操作部で選択された運転モードを実行する制御部とを備えた空調装置が好適である。
【００１３】
操作部内には第１のメモリが設けられ、制御部内には第２のメモリが設けられる。第１のメモリにはこの操作部で設定された各種運転モードに関連した設定項目ごとの制御情報（動作設定情報）が保存される。第２のメモリにも、制御情報がバックアップされる。操作部はリモートコントロール装置として機能する。
【００１４】
第１と第２のメモリの間では相互通信がなされ、第１のメモリに保存された制御情報が更新されたときには、第２のメモリの保存内容も更新されるような通信モードを備える。したがって、第２のメモリは第１のメモリの保存情報が常に反映されたものとなっている。
【００１５】
操作部が故障したようなときは、この操作部全体が新しいものと交換される。同じく制御部側が故障したようなときも、この制御部全体が新しいものと交換される。部品全体が交換されたときは、第１のメモリあるいは第２のメモリには、それぞれ初期値が設定されているので、操作部が故障したときは制御部側の第２のメモリに保存されたバックアップデータを第１のメモリに書き込む。これで、制御情報の再設定処理が不要となり、そして制御情報の共有化を図ることができる。
【００１６】
制御部が故障したときは、第２のメモリが新しいので、制御情報としては初期値のままとなっている。操作部側の第１のメモリには設定済みの制御情報が保存されているので、この場合には第１のメモリの制御情報を、第２のメモリに転送して保存する。こうすることで、制御情報が第２のメモリにバックアップデータとして保存される。この転送処理によって、制御情報の再設定処理が不要となると共に、制御情報の共有化を図ることができる。
【００１７】
上述した空調装置は、運転モードを選択する操作部と、運転モードに応じて設定された動作設定情報にしたがって、操作部で選択された運転モードを実行する制御部とを備えている。
【００１８】
操作部は、動作設定情報を設定する設定モードへの移行及び動作設定情報の中から設定値を変更する設定項目の選択を行う設定ボタンと、動作設定情報の中から設定ボタンで選択された設定項目の設定値を変更する設定値変更ボタンと、設定値変更ボタンで変更された設定値を確定する決定ボタンとを有する。
【発明の効果】
【００１９】
この発明によれば、操作部と制御部のそれぞれにメモリを内蔵させ、これらメモリ間で、保存された動作設定情報などの制御情報を相互に転送して制御情報の共有化を図れるようにしたものである。
【００２０】
これによれば、操作部や制御部が故障したようなときでも、制御情報の再設定処理をすることなく、この制御情報を、交換された側のメモリに簡単に転送保存して、制御情報の共有化を図ることができる。
【発明を実施するための最良の形態】
【００２１】
以下、図面を参照して本発明による電子機器の一例を詳細に説明するが、操作部で選択した制御モードを実行する制御部を備えた電子機器としては、運転モードを選択する操作部と、運転モードに応じて設定された動作設定情報にしたがって、前記操作部で選択された運転モードを実行する制御部とを備えた空調装置を例示する。
【００２２】
＜第１の実施の形態の空調装置の構成例＞
図１は、本発明を適用した空調装置の一例を示す構成図である。この空調装置１Ａは、浴室暖房換気乾燥機等と称され、例えば浴室５１の天井に設置される空調ユニット１１と、浴室５１に隣接した洗面脱衣所５２の壁面に取り付けられた操作部４１Ａを備える。操作部４１Ａは、空調ユニット１１と独立したリモートコントロール装置で、空調ユニット１１に備えた空調装置１Ａの制御部７１とは例えば電気ケーブルで接続される。
【００２３】
操作部４１Ａは、空調装置１Ａの運転モードを選択する運転モード選択ボタン４２を備える。空調装置１Ａは、操作部４１Ａでの運転モード選択ボタン４２の操作に応じて空調ユニット１１を制御して、浴室５１の暖房を行う暖房運転モード、浴室５１及び他室の換気を行う換気運転モード、浴室５１及び浴室５１内に干した衣類の乾燥を行う乾燥運転モード、浴室５１への涼風（送風）の吹き出しを行う涼風運転モードを実行する。
【００２４】
また、操作部４１Ａは、空調装置１Ａにおける換気風量等の設定値の変更を行う設定モードを実行する設定ボタン４３ａ及び決定ボタン４３ｂと、アップ・ダウンボタン４４を備える。空調装置１Ａは、操作部４１Ａでの設定ボタン４３ａ及び決定ボタン４３ｂと、アップ・ダウンボタン４４の操作に応じて設定モードを実行し、各種設定値の変更を行う。
【００２５】
図２及び図３は空調ユニット１１の一例を示す構成図で、図２は空調ユニット１１の断面図、図３は空調ユニット１１を下方から見た分解斜視図である。
【００２６】
空調ユニット１１は、吸い込んだ空気を循環させる循環ファン部１２と、吸い込んだ空気を排気する換気ファン部１３とを備える。
【００２７】
循環ファン部１２は、回転軸の向きを鉛直方向とした多翼の羽根車１４と、羽根車１４を回転駆動する循環ファンモータ１５と、風路を形成する循環ファンケース１６を備える。
【００２８】
循環ファンケース１６は、羽根車１４の軸方向に沿った下面が開口して循環ファン吸込口１７が形成される。また、循環ファンケース１６は、羽根車１４の接線方向に沿って吹出風路１８が形成され、吹出風路１８と連通した下面が開口して循環ファン吹出口１９が形成される。
【００２９】
循環ファン部１２では、循環ファンモータ１５によって羽根車１４が回転駆動されると、循環ファン吸込口１７から空気が吸い込まれ、循環ファン吸込口１７から吸い込まれた空気は、吹出風路１８を通って循環ファン吹出口１９から吹き出される。
【００３０】
空調ユニット１１は、循環ファン部１２にヒータ２０ｈを備える。ヒータ２０ｈは、例えばＰＴＣヒータが用いられ、循環ファン吹出口１９の近傍の吹出風路１８に取り付けられる。これにより、羽根車１４を回転駆動すると共にヒータ２０ｈに通電すると、吹出風路１８を通る空気がヒータ２０ｈによって加熱されて、循環ファン吹出口１９から温風が吹き出す。
【００３１】
また、空調ユニット１１は、循環ファン部１２にイオン発生器２０ｉを備える。イオン発生器２０ｉは、ヒータ２０ｈより上流側の吹出風路１８に、図示しないイオン放出面を露出させて取り付けられ、正イオンと負イオンを発生させる。
【００３２】
正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００３３】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００３４】
これにより、羽根車１４を回転駆動すると共にイオン発生器２０ｉで略同数の正イオンと負イオンを発生させると、略同数の正イオンと負イオンを含む空気が循環ファン吹出口１９から吹き出す。
【００３５】
換気ファン部１３は、回転軸の向きを鉛直方向とした多翼の羽根車２１と、羽根車２１を回転駆動する換気ファンモータ２２と、風路を形成する換気ファンケース２３を備える。
【００３６】
換気ファンケース２３は、羽根車２１の軸方向に沿った下面が開口して換気ファン吸込口２４が形成される。また、換気ファンケース２３は、羽根車２１の接線方向に沿って排気風路２５が形成され、排気風路２５と連通した一の側面が開口して排気口２６が形成される。
【００３７】
空調ユニット１１は、循環ファン部１２と換気ファン部１３を収容する本体ケース２７を備える。本体ケース２７は、鉄等の金属で構成され、循環ファン部１２の上側に換気ファン部１３が重なる形態で、循環ファン部１２と換気ファン部１３が取り付けられる。
【００３８】
空調ユニット１１は、本体ケース２７の一の側面に、換気ファン部１３の排気口２６と連通した排気ダクトジョイント２８ａが取り付けられる。
【００３９】
また、空調ユニット１１は、排気口２６の形成面以外の本体ケース２７の他の側面に１個または２個の副吸込口２７ａが形成され、副吸込口２７ａに副吸込ダクトジョイント２８ｂが取り付けられる。
【００４０】
更に、空調ユニット１１は、本体ケース２７内で循環ファン部１２の上側に、循環ファン部１２の吹出風路１８とは独立して、副吸込口２７ａと換気ファン吸込口２４を連通させた副吸込風路２９が形成される。
【００４１】
空調ユニット１１は、換気ファン部１３の下側に換気吸込風路形成部材３０が取り付けられる。換気吸込風路形成部材３０は、本体ケース２７の下面側に開口を有して換気吸込口３０ａを形成すると共に、換気吸込口３０ａと換気ファン吸込口２４を連通させた換気吸込風路３０ｂを形成する。
【００４２】
空調ユニット１１は、本体ケース２７の下面にフロントパネル３２を備える。フロントパネル３２は、本体ケース２７に対して着脱できるように構成され、循環ファン部１２の循環ファン吸込口１７及び換気ファン部１３と連通した換気吸込口３０ａと対向して吸込口グリル３２ａが形成される。また、フロントパネル３２は、循環ファン部１２の循環ファン吹出口１９と対向して吹出口グリル３２ｂが形成される。
【００４３】
空調ユニット１１は、吹出口グリル３２ｂに面して循環ファン吹出口１９に電動ルーバ３３を備える。
【００４４】
図４は電動ルーバ３３の一例を示す構成図で、図４（ａ）は吹出口グリル３２ｂの長手方向から見た電動ルーバ３３の正面図、図４（ｂ）は吹出口グリル３２ｂの短手方向から見た電動ルーバ３３の側面図である。
【００４５】
電動ルーバ３３は、吹出口グリル３２ｂの短手方向に沿って延び、吹出口グリル３２ｂの長手方向に沿って並列した複数枚の第１の整流板３４ａと、第１の整流板３４ａの向きを変える第１のルーバモータ３５ａと、各第１の整流板３４ａに駆動力を伝達する第１のリンク機構３６ａを備える。
【００４６】
また、電動ルーバ３３は、第１の整流板３４ａと直交する向きに配置される複数枚の第２の整流板３４ｂと、第２の整流板３４ｂの向きを変える第２のルーバモータ３５ｂと、各第２の整流板３５ｂに駆動力を伝達する第２のリンク機構３６ｂを備える。
【００４７】
各第１の整流板３４ａは、図示しない枠体等に軸３７ａを支点に回転自在に支持され、１枚の第１の整流板３４ａの軸３７ａに第１のルーバモータ３５ａの軸が連結されている。第１のルーバモータ３５ａはステッピングモータで構成され、第１の整流板３４ａの往復回転動作が可能である。
【００４８】
各第１の整流板３４ａは、第１のリンク機構３６ａを構成するリンクロッド３８ａで連結される。
【００４９】
これにより、第１のルーバモータ３５ａが矢印ａ，ｂ方向に回転駆動されると、複数枚の第１の整流板３４ａの中で、第１のルーバモータ３５ａの軸と連結された第１の整流板３４ａが軸３７ａを支点にして矢印ａ，ｂ方向に回転すると共に、各第１の整流板３４ａがリンクロッド３８ａで連結されているので、各第１の整流板３４ａが軸３７ａを支点にして矢印ａ，ｂ方向に回転する。
【００５０】
第２の整流板３４ｂも、第１の整流板３４ａと同様の構成で駆動され、各第２の整流板３４ｂは、図示しない枠体等に軸３７ｂを支点に回転自在に支持され、１枚の第２の整流板３４ｂの軸３７ｂに第２のルーバモータ３５ｂの軸が連結されている。第２のルーバモータ３５ｂはステッピングモータで構成され、第２の整流板３４ｂの往復回転動作が可能である。
【００５１】
各第２の整流板３４ｂには、第２のリンク機構３６ｂを構成するリンクレバー３９ｂが取り付けられ、各リンクレバー３９ｂがリンクロッド３８ｂで連結される。
【００５２】
これにより、第２のルーバモータ３５ｂが矢印ｃ，ｄ方向に回転駆動されると、複数枚の第２の整流板３４ｂの中で、第２のルーバモータ３５ｂの軸と連結された第２の整流板３４ｂが軸３７ｂを支点にして矢印ｃ，ｄ方向に回転すると共に、各第２の整流板３４ｂがリンクレバー３９ｂ及びリンクロッド３８ｂで連結されているので、各第２の整流板３４ｂが軸３７ｂを支点にして矢印ｃ，ｄ方向に回転する。
【００５３】
このように、電動ルーバ３３は、整流板の向きを切り換えられるようにすることで、空気の吹き出し方向が運転モード毎、または利用者の操作によって選択された向きに切り換えられるようになっている。
【００５４】
次に、図１を参照にして空調装置１Ａの設置例について説明する。空調装置１Ａの空調ユニット１１は、浴室５１の天井に設置される。浴室５１の天井パネルには、図２等で説明した空調ユニット１１の本体ケース２７が入る開口部が形成され、空調ユニット１１は、フロントパネル３２が露出するようにして、天井裏から吊り下げる形態、あるいは天井パネルに固定する形態等で取り付けられる。
【００５５】
浴室５１の天井に取り付けられた空調ユニット１１は、排気ダクトジョイント２８ａに排気ダクト３が接続される。排気ダクト３は、図示しない建物の外壁５３に取り付けた屋外グリル４に接続され、空調ユニット１１で浴室５１等から吸い込んだ空気を、排気ダクト３を介して屋外に排気できる構成となっている。
【００５６】
また、空調ユニット１１は、副吸込口２７ａに取り付けられた副吸込ダクトジョイント２８ｂに副吸込ダクト５が接続され、副吸込ダクト５は、例えばトイレ５４に設置された副吸込口６に接続されて、トイレ５４から図示しない建物の他室の空気を吸い込める構成となっている。
【００５７】
なお、空調ユニット１１に副吸込口２７ａを２個備える構成では、洗面脱衣所５２にも副吸込口６を備えて、空調ユニット１１と副吸込ダクト５で接続する構成としても良い。
【００５８】
空調装置１Ａは、洗濯物等の被乾燥物を乾燥させる機能を備えるので、浴室５１には洗濯物等を掛けるランドリパイプ５５を備える。ここで、空調ユニット１１の吹出口グリル３２ｂから吹き出す空気が、浴槽５１ａから出て洗い場５１ｂに居る入浴者に直接当たると、体が濡れている場合等に寒さを感じることがある。このため、吹き出し方向がランドリパイプ５５側に向くように、図４で説明した電動ルーバ３３により風向が初期設定される。
【００５９】
浴室５１の入口には浴室ドア５６を備える。浴室ドア５６は空気取入口（ガラリ）５６ａを備え、浴室５１に隣接した洗面所脱衣所５２等の空気を浴室５１内に取り込めるようになっている。
【００６０】
＜空調装置の制御機能例＞
図５は空調装置１Ａの本体側制御系の一例を示す機能ブロック図であり、図６はその操作部４１Ａのボタン配置例を示す。そして、図７は操作部４１Ａ側に設けられたリモコン側制御系の一例を示す機能ブロック図であり、図８は、リモコン側制御系での制御情報の保存処理例を示し、図９は動作設定情報などの制御情報の転送および保存処理例を示す。
【００６１】
この例では、空調装置１Ａの本体側にも、操作部４１Ａ側にもそれぞれ制御系が搭載されており、何れの制御系においても単独で、それぞれの制御系にストアされた同一の制御プログラムに基づいて、空調装置１Ａの本体側に接続されたモータなどの制御対象を制御することができる。実施例では、正常動作時は操作部４１Ａ側の制御系に内蔵された制御プログラムに基づく制御指令信号によって、空調装置１Ａの本体側に接続されたモータなどの制御対象が制御される構成となっている。もちろん、本体側制御部には、操作部側制御部（リモコン側制御部）に搭載されたものと同一の制御プログラムを搭載する必要はない。
【００６２】
図５に示すように、空調装置１Ａは空調ユニット１１に備えられ、ＣＰＵや、ＥＥＰＲＯＭ等の不揮発性のメモリ７１ａ等を有した制御部７１に、操作部４１Ａと、図２〜図４で説明した循環ファンモータ１５と、換気ファンモータ２２と、ヒータ２０ｈと、イオン発生器２０ｉと、第１のルーバモータ３５ａと、第２のルーバモータ３５ｂ等の制御対象物が接続される。
【００６３】
本体側制御部７１に設けられたメモリ（第２のメモリ）７１ａはバックアップメモリとして機能し、利用者等が操作部４１Ａの設定ボタン４３ａ及び決定ボタン４３ｂと、アップ・ダウンボタン４４を操作することで、変更された各種動作設定情報に関する設定値がバックアップされる。したがって、操作部４１Ａ側のメモリ７６（後述する）にも同一の動作設定情報が保存されている。第２のメモリ７１ａとしては、ＥＥＰＲＯＭなどの不揮発性メモリが使用される。
【００６４】
図６は操作部４１Ａの一例を示す構成図である。図１で説明した設定ボタン４３ａは、各種設定を行う操作へ誘導するような例えば「設定」との文字が表記され、設定モードへの移行及び設定値を変更する設定項目の選択を行う操作で使用される。
【００６５】
設定ボタン４３ａの表記については、設定を行おうとする利用者（空調装置の使用者または施工業者）が、設定モードへの移行及び設定項目の選択の操作を行えるような表記であれば他の表記でも良い。
【００６６】
アップ・ダウンボタン４４は設定値変更ボタンの一例で、設定値を順次変更する操作を誘導するような例えば「矢印」が表記されたアップボタン４４ａとダウンボタン４４ｂを備え、設定値の変更を行う操作で使用される。
【００６７】
決定ボタン４３ｂは、設定値を確定する操作等を誘導するような例えば「決定」との文字が表記され、変更された設定値の確定を行う操作で使用される。ここで、決定ボタン４３ｂの表記についても、操作を行う利用者が選択した設定値等を決定する操作が行えるような表記となっていれば、「決定」との表記でなく、例えば「確定」等の他の表記であっても良い。なお、設定ボタン４３ａは専用の操作ボタンを設けずに、アップボタン４４ａ等を所定時間押すことや複数のボタンを押すことにより設定モードに移行するようにしてもよく、決定ボタン４３ｂについても同様である。
【００６８】
操作部４１Ａは、運転モード選択ボタン４２として、暖房運転モードを選択する暖房運転選択ボタン４２ａと、換気運転モードを選択する換気運転選択ボタン４２ｂと、乾燥運転モードを選択する乾燥運転選択ボタン４２ｃと、涼風運転モードを選択する涼風運転選択ボタン４２ｄを備える。これらの運転モードは、入浴者等の利用者が操作部４１Ａの運転モード選択ボタン４２等を操作することにより選択される。
【００６９】
また、運転モード選択ボタン４２として、運転を停止させる停止ボタン４２ｅと、図１に示す浴室５１及び浴室５１が設置された図示しない建物全体を、所定の換気風量で常時換気を行う２４時間換気運転モードを選択する２４時間換気運転選択ボタン４２ｆを備える。
【００７０】
更に、操作部４１Ａは、運転モード選択ボタン４２で選択された運転モード及び各運転モードで設定される風量等を視認させるため、各ボタンに対応してステータスランプ（表示素子）４５を備える。また、操作部４１Ａは、現在時刻及び設定モードでは設定項目と設定値が表示される表示部４６を備える。
【００７１】
図７は、この操作部４１Ａに搭載されたリモコン側制御系の一例を示す機能ブロック図であって、ＣＰＵなどの演算処理機能を備えたリモコン側制御部７５を有する。このリモコン側制御部７５に上述した運転モード選択ボタン４２、設定および決定ボタン４３ａ，４３ｂ、アップ・ダウンボタン４４ａ、４４ｂがそれぞれ接続され、各ボタン操作情報がリモコン側制御部７５に供給される。
【００７２】
リモコン側制御部７５では、第１のメモリ７６等に格納されたプログラムにしたがって、本例では暖房運転を行う暖房運転モード、換気運転を行う換気運転モード、乾燥運転を行う乾燥運転モード及び涼風運転を行う涼風運転モードを実行する。また、各運転モードに応じて設定された換気風量等の動作設定情報の設定値を変更する設定モードを実行する。
【００７３】
また、利用者等が操作部４１Ａの設定ボタン４３ａ及び決定ボタン４３ｂと、アップ・ダウンボタン４４を操作することで、変更された各種動作設定情報に関する設定値が第１のメモリ７６に格納される。そのため、第１のメモリ７６は、ＥＥＰＲＯＭなどの不揮発性のメモリが使用される。動作設定情報としては、予めストアされた初期値か、使用者が設定した変更後の値（ユーザ設定値）となる。
【００７４】
制御部７５では、操作部４１Ａで選択された運転モードを実行するプログラムと、第１のメモリ７６に格納された設定値に従い、循環ファンモータ１５、換気ファンモータ２２、ヒータ２０ｈ、イオン発生器２０ｉ、第１のルーバモータ３５ａ及び第２のルーバモータ３５ｂ等を制御する。
【００７５】
また、リモコン側制御部７５からは複数の表示素子４５に対する点灯信号を始めとして、表示部４６に対する表示信号が供給される。
【００７６】
操作部４１Ａと、本体側制御部７１との間はインタフェース７７を介してこの例ではワイヤー７８によって接続され、リモコン側制御部７５からの制御指令信号や、バックアップ情報がワイヤー７８を介して本体側制御部７１側に転送される。
【００７７】
＜第１の実施の形態の空調装置の動作例＞
次に、空調装置１Ａの各運転モードの動作例について各図を参照して説明する。
【００７８】
（１）暖房運転モード
操作部４１Ａで暖房運転選択ボタン４２ａが押されると、リモコン側制御部７５は暖房運転モードが選択されたと判断し、本体側制御部７１に接続された循環ファンモータ１５を駆動して、循環ファン部１２の羽根車１４を回転駆動すると共に、ヒータ２０ｈに通電する。また、換気吸込口３０ａに備えられた図示しないシャッターを閉位置とする。
【００７９】
循環ファン部１２の羽根車１４が回転すると、フロントパネル３２の吸込口グリル３２ａから、循環ファン部１２の循環ファン吸込口１７へ浴室５１内の空気が吸い込まれる。
【００８０】
循環ファン吸込口１７から吸い込まれた空気は、吹出風路１８によって循環ファン吹出口１９へと流れる。そして、ヒータ２０ｈが通電されると、吹出風路１８を通る空気が加熱され、フロントパネル３２の吹出口グリル３２ｂから、浴室５１内へ温風が吹き出す。
【００８１】
これにより、暖房運転モードを実行することで、浴室５１内の空気を循環させながら浴室５１内を暖房して、温度を上げることができる。なお、暖房運転モードでは、換気吸込口３０ａに備えられた図示しないシャッターを閉位置とすることで、浴室５１内の暖められた空気が排気されることを防ぐ。
【００８２】
なお、暖房運転モードとして、入浴前に浴室５１を暖める予備暖房モードと、入浴中に使用する入浴暖房モードを設けておき、この２種類の暖房運転モードを切り替えて実行できるようにしても良い。ここで、入浴暖房モード時に吹き出す温風の風量は、予備暖房モード時より少ない風量として、体が濡れている入浴者が肌寒さを感じないようにしている。
【００８３】
また、予備暖房モードでは、電動ルーバ３３により温風の吹き出し方向を浴室５１の洗い場５１ｂに切り替えて、床面を温められるようにしても良い。
【００８４】
ここで、図６に示す操作部４１Ａでは、暖房運転選択ボタン４２ａに対応したステータスランプ４５として、風量と関連付けた例えば「強」と表記されたランプと、「弱」と表記されたランプを備え、予備暖房モードでは「強」と表記されたランプを点灯させ、入浴暖房モードでは「弱」と表記されたランプを点灯させることで、実行中の運転モードを確認可能としている。
【００８５】
（２）換気運転モード
操作部４１Ａで換気運転選択ボタン４２ｂが押されると、リモコン側制御部７５は換気運転モードが選択されたと判断し、本体側制御部７１に接続された換気ファンモータ２２を駆動する。また、換気吸込口３０ａに備えられた図示しないシャッターを開位置とする。なお、通常の浴室の換気運転モードでは、循環ファン部１２は駆動しない。
【００８６】
換気ファンモータ２２が駆動されると、換気ファン部１３の羽根車２１が回転することで、フロントパネル３２の吸込口グリル３２ａから、換気ファン吸込口２４へ浴室５１内の空気が吸い込まれる。
【００８７】
換気ファン吸込口２４から吸い込まれた空気は、排気風路２５によって排気口２６へと流れる。そして、排気ダクトジョイント２８ａに接続された排気ダクト３から、屋外グリル４を介して屋外へ排気される。
【００８８】
また、換気ファンモータ２２が駆動されると、副吸込ダクトジョイント２８ｂに接続された副吸込ダクト５を介して、副吸込口６からトイレ５４等の空気が吸い込まれ、排気ダクトジョイント２８ａに接続された排気ダクト３から、屋外グリル４を介して屋外へ排気される。
【００８９】
なお、空調ユニット１１で浴室５１の空気が吸い込まれると、浴室ドア５６の空気取入口５６ａから洗面所脱衣所５２の空気が浴室５１に取り込まれる。
【００９０】
これにより、換気運転モードを実行することで、浴室５１内の湯気や湿気を排出して結露等を抑制し、カビの発生を抑えることができる。
【００９１】
ここで、換気運転モードでは、イオンを供給する除菌モードを連動させても良い。イオン供給による除菌モードを連動させる換気運転モードでは、循環換気モードとして、上述した換気運転モードの動作に加えて、循環ファンモータ１５を駆動して、循環ファン部１２の羽根車１４を回転駆動すると共に、イオン発生器２０ｉで略同数の正イオンと負イオンを発生させる。なお、イオン供給による除菌モードでは、ヒータ２０ｈに通電しない。
【００９２】
循環ファン部１２の羽根車１４を回転させて、イオン発生器２０ｉで正イオンと負イオンの双方を発生させると、浴室５１から吸い込んだ空気に略同数の正イオンと負イオンが供給され、フロントパネル３２の吹出口グリル３２ｂから浴室５１へと送風される。
【００９３】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【００９４】
操作部４１Ａで２４時間換気運転選択ボタン４２ｆが押されると、制御部７１は２４時間換気運転モードが選択されたと判断し、所定の換気風量が得られるように換気ファンモータ２２を駆動して、上述した換気運転モードを実行する。なお、２４時間換気運転モード中に暖房運転選択ボタン４２ａが押されると、制御部７１は、換気吸込口３０ａに備えられた図示しないシャッターを閉位置として、上述した暖房運転モードと換気運転モードを実行する。
【００９５】
（３）乾燥運転モード
操作部４１Ａで乾燥運転選択ボタン４２ｃが押されると、リモコン側制御部７５は乾燥運転モードが選択されたと判断し、本体側制御部７１に接続された循環ファンモータ１５を駆動して、循環ファン部１２の羽根車１４を回転駆動すると共に、ヒータ２０ｈに通電する。また、換気ファンモータ２２を駆動して、換気ファン部１３の羽根車２１を回転駆動する。
【００９６】
循環ファン部１２の羽根車１４が回転すると、フロントパネル３２の吸込口グリル３２ａから、循環ファン部１２の循環ファン吸込口１７へ浴室５１内の空気が吸い込まれる。
【００９７】
循環ファン吸込口１７から吸い込まれた空気は、吹出風路１８によって循環ファン吹出口１９へと流れる。そして、ヒータ２０ｈが通電されると、吹出風路１８を通る空気が加熱され、フロントパネル３２の吹出口グリル３２ｂから、浴室５１内へ温風が吹き出す。これにより、ランドリパイプ５５に掛けられた洗濯物に温風が当てられる。
【００９８】
また、換気ファン部１３の羽根車２１が回転すると、フロントパネル３２の吸込口グリル３２ａから、換気風路形成部材３０によって形成された換気吸込風路３０ｂを介して、換気ファン部１３の換気ファン吸込口２４へ浴室５１内の空気が吸い込まれる。
【００９９】
換気ファン吸込口２４から吸い込まれた空気は、排気風路２５によって排気口２６へと流れる。そして、排気ダクトジョイント２８ａに接続された排気ダクト３から、屋外グリル４を介して屋外へ排気される。
【０１００】
これにより、乾燥運転モードを実行することで、浴室５１内の湯気や湿気を排出しながら、ランドリパイプ５５に掛けられた洗濯物に温風が当てて、洗濯物を短時間で乾燥させることができる。
【０１０１】
ここで、乾燥運転モードには標準モードと静音モードがあり、静音モードが選択されると、循環風量と換気風量が標準モード時より少なくなるように循環ファン部１２及び換気ファン部１３の羽根車の回転数を制御している。
【０１０２】
なお、乾燥運転モードでは、イオンの供給による除菌モードを連動させても良い。また、電動ルーバ３３を所定の範囲でスイングさせ、広範囲に温風を吹き出すようにしても良い。
【０１０３】
（４）涼風運転モード
操作部４１Ａで涼風運転選択ボタン４２ｄが押されると、リモコン側制御部７５は涼風運転モードが選択されたと判断し、本体側制御部７１に接続された循環ファンモータ１５と換気ファンモータ２２を駆動する。なお、涼風運転モードでは、ヒータ２０ｈには通電しない。
【０１０４】
循環ファンモータ１５が駆動されると、循環ファン部１２の羽根車１４が回転することで、フロントパネル３２の吸込口グリル３２ａから、循環ファン吸込口１７へ浴室５１内の空気が吸い込まれる。
【０１０５】
循環ファン吸込口１７から吸い込まれた空気は、吹出風路１８によって循環ファン吹出口１９へと流れる。涼風運転モードでは、ヒータ２０ｈに通電されていないので、フロントパネル３２の吹出口グリル３２ｂから、浴室５１内の温度に応じた風（涼風）が吹き出す。
【０１０６】
また、換気ファンモータ２２が駆動されると、換気ファン部１３の羽根車２１が回転することで、フロントパネル３２の吸込口グリル３２ａから、換気ファン吸込口２４へ浴室５１内の空気が吸い込まれる。
【０１０７】
換気ファン吸込口２４から吸い込まれた空気は、排気風路２５によって排気口２６へと流れる。そして、排気ダクトジョイント２８ａに接続された排気ダクト３から、屋外グリル４を介して屋外へ排気される。
【０１０８】
これにより、涼風運転モードを実行することで、浴室５１内の空気を換気しながら、浴室５１内に涼風が吹き出され、空調装置１Ａを夏季等に扇風機として使用することができる。
【０１０９】
（５）設定モード
操作部４１Ａで設定ボタン４３ａが押されると、リモコン側制御部７５は設定モードが選択されたと判断する。
【０１１０】
設定モードでは、換気風量や電動ルーバ３３の動作の有無、トイレ遅延と称される換気動作の停止を遅延させる時間等といった動作設定情報の設定が行われる。
【０１１１】
ここで、動作設定情報の中で、運転モードに応じて設定値を変更できる設定項目（ファクター）が異なり、本例では、設定ボタン４３ａが押された時に実行中の運転モードに応じて、制御部７１は設定値を変更可能な設定項目を判断する。
【０１１２】
設定モードでは、時間表示を行う表示部４６の時間の位Ｈに、設定値を変更可能な設定項目を示すアルファベット、分の位Ｍに設定項目の設定値である設定コード、設定項目と設定コードを区切るコロンＣが、所定のタイミング、例えば１Ｈｚ（１／２Ｄｕｔｙ）で点滅して、選択されている運転モードにおける動作設定情報の設定モードとなる。
【０１１３】
以下の表１に各運転モードで設定値を変更可能な設定項目を示し、表２に設定コードとパラメータを示す。
【０１１４】
【表１】
2007318572.tif 000003
【０１１５】
【表２】
2007318572.tif 000004
【０１１６】
（表１）及び（表２）に示すように、例えば乾燥運転モードでは、設定項目Ｊの除菌モードの連動の有無と、設定項目Ｐの電動ルーバ３３による風向の切り替えが設定可能である。
【０１１７】
設定項目Ｊでは、表２に示すようにイオンの発生の有無が選択可能となっている。設定項目Ｐでは、例えば表２に示すように、電動ルーバ３３を固定するかスイングさせるか、固定する場合は、複数の固定位置から運転モード及び使用者の選択した位置に応じて任意の固定位置を設定することが可能である。なお、電動ルーバ３３をスイングさせる場合にスイングの範囲を設定可能としても良い。また、空調ユニット１１を設置する向きに合わせて、吹き出し方向をランドリパイプ５５方向とする初期設定が可能である。
【０１１８】
涼風運転モードと暖房運転モードでは、設定項目Ｐの電動ルーバ３３による風向の切り替えが設定可能である。
【０１１９】
換気運転モードでは、設定項目Ｊの除菌モードによるイオン発生の有無と、設定項目Ａの２４時間換気の風量と、設定項目ｄのトイレ換気停止時の遅延時間と、設定項目Ｆの２４時間換気の運転モードが設定可能である。
【０１２０】
設定項目Ａでは、例えば（表２）に示した複数の風量の中から、住宅の床面積に合わせて風量設定ができるようになっている。設定項目ｄでは、例えば表２に示した複数の時間の中から、トイレからの退出時に換気を継続させて停止を遅延させる時間が選択可能となっている。
【０１２１】
更に、設定項目Ｆでは、２４時間換気の運転モードとして、標準の２４時間換気風量（例えば、住宅換気対象容積の０．５回／時）とする標準モードと、冬期
時に２４時間換気風量を減少させる冬期モード（例えば、住宅の換気対象容積の０．４回／時）とが選択可能となっている。
【０１２２】
なお、（表１）及び（表２）に示す設定項目は一例であり、これに限るものではない。
【０１２３】
設定モードに移行した後、設定ボタン４３ａが押されると、リモコン側制御部７５は、動作設定情報の中で、設定値を変更可能な設定項目を、（表１）に示す左側から順に切り替えて、表示部４６の時間の位Ｈに選択された設定項目を特定するアルファベットを表示する。
【０１２４】
これにより、設定ボタン４３ａを利用して、設定モードへの移行と、設定値を変更する設定項目の選択が可能となる。
【０１２５】
設定モードでは、操作部４１Ａのアップ・ダウンボタン４４が押されると、リモコン側制御部７５は、選択されている設定項目に応じて、表２に示す設定コードを順に切り替えて、表示部４６の分の位Ｍに選択された設定コードを表示する。
【０１２６】
これにより、タイマの設定等で使用されるアップ・ダウンボタン４４を利用して、設定値の変更が可能となる。
【０１２７】
設定モードでは、決定ボタン４３ｂが押されると、リモコン側制御部７５は、設定ボタン４３ａで選択され、アップ・ダウンボタン４４で変更された設定値を確定する。設定値を変更した利用者の確認のため、確定した設定項目のアルファベット及び設定コードを所定時間、例えば１０秒間表示部４６で表示した後、通常の表示に戻る。
【０１２８】
これにより、利用者は、変更した設定の内容及び設定を変更したことを確実に認識できる。なお、図示しないリセットボタンが押下されたときや、停電が発生しても、第１のメモリ７６は設定値は喪失しない。
【０１２９】
切り替えられた設定値は第１のメモリ７６に記憶され、リモコン側制御部７５は、第１のメモリ７６から、運転モードに応じて第１のメモリ７６から該当する設定値を読み出し、選択された運転モードを実行する。
【０１３０】
続いて、各運転モードの設定項目に関する上述した設定処理例を、図８を参照して説明する。
【０１３１】
まず、運転モードの選択を行う設定ボタン４３ａの操作が確認され（ステップ９０）、操作されたときには選択された運転モードにおける設定項目（（表１）および（表２）参照）に対する条件の設定や変更処理を受け付ける（ステップ９１）。
【０１３２】
次に決定ボタン４３ｂが操作されたときは、設定された内容が確定される（ステップ９２）。設定された情報を再度確認表示してから第１のメモリ７６にその設定内容が運転モードに関連させて保存される（ステップ９３）。
【０１３３】
続いて、設定ボタン４３ａの操作の有無によって、運転モードの選択およびその運転モードに関する設定項目についての継続した設定処理かどうかの確認が行われる（ステップ９４）。設定ボタン４３ａが操作されたときは継続した設定処理と判断して、上述したと同じ設定および決定処理が行われる（ステップ９１〜９３）。
【０１３４】
設定情報の決定処理が終了してから所定時間（上述では１０秒）継続して、設定ボタン４３ａの操作がなされず、タイムオーバしたときは（ステップ９５）、設定処理モードが終了したものと判断して、本体側制御部７１への転送処理を行い、第２のメモリ７１ａへのバックアップ処理を行う（ステップ９６）。このバックアップ処理を行うことで、各種運転モードにおける動作設定処理およびバックアップ処理が終了する。
【０１３５】
ここで、空調装置の使用中に、リモコン側制御部７５が実装されたリモコン側制御基板などが故障したり、空調ユニットの本体側制御部７１が実装された本体側制御基板（電源基板）などが故障したりする場合がある。そのような場合には、実装部品のみを交換して修理する場合の他に、制御基板自体を交換する場合がある。
【０１３６】
制御基板自体を交換して修理を行う場合で、第１のメモリ７６に上述した各種運転モードにおける動作設定情報などが保存され、第２のメモリ７１ａにはこの動作設定情報がバックアップされているようなときは、制御基板の交換によって、保存されている動作設定情報が失われることになる。
【０１３７】
制御基板が交換されたときでも、保存されている動作設定情報をそのまま利用できるようにするための処理例を図９に示す。
【０１３８】
図９は、その処理例のフローチャートである。空調装置の電源が投入されることで、処理がスタートする。まず、リモコン側に設けられた第１のメモリ７６の設定値（動作設定情報）が参照され（ステップ１１０）、その設定値が初期値であったときは、次に本体側の第２のメモリ７１ａの設定値を参照する（ステップ１１１）。そして、本体側の第２のメモリ７１ａの設定値が初期値であったときには、交換前の処理動作は、初期値を利用して動作していたものと判断できるから、この場合には第１のメモリ７６の設定値である初期値を用いて制御されることになる（ステップ１１２）。
【０１３９】
このような判定が行われるケースとしては、リモコン側の制御基板が正常に動作しており、その設定値が初期値のままであった場合か、リモコン側も本体側も同時に対応する制御基板が交換されていた場合である。
【０１４０】
ステップ１１１に戻って、第２のメモリ７１ａの設定値が初期値以外の値に変更されているときは、リモコン側の制御基板が交換されていることを示すものであり、第２のメモリ７１ａにはバックアップデータが保存されているものと考えられる。したがってこの場合には、第２のメモリ７１ａに保存されている変更値（バックアップデータ）が第１のメモリ７６側に転送されて保存される。そして、実際の動作モードでは、この第１のメモリ７６に保存された条件、つまり利用者が設定した条件で運転状態が制御される（ステップ１１３）。
【０１４１】
また、ステップ１１０において、第１のメモリ７６の設定値が初期値ではなく、変更されているときは、次に第２のメモリ７１ａの内容がチェックされ、初期値のままであるときは、保存内容が一致しないので、この場合には本体側制御基板が交換されたものと判断して、第１のメモリ７６に保存された変更値が第２のメモリ７１ａ側に転送されて保存される（ステップ１１４，１１５）。これは通常のバックアップ処理に相当する。この保存処理によって第１と第２のメモリ７６，７１ａの保存内容が一致する。その後、実際の動作モードでは、この第１のメモリ７６に保存された条件、つまり利用者が設定した条件で運転状態が制御されることになる（ステップ１１２）。
【０１４２】
ステップ１１４において、第２のメモリ７１ａの保存内容が初期値と異なるときは、第１のメモリ７６に保存されている変更値と同じであるから、この場合にはデータ転送処理は行われない。したがって実際の動作モードでは、第１のメモリ７６に保存された条件、つまり利用者が設定した条件で運転状態が制御される（ステップ１１２）。
【０１４３】
このように、電源の投入の都度、第１および第２のメモリ７６，７１ａの保存データの内容がチェックされ、制御基板が交換されたようなときは、交換された制御基板側に保存内容が自動転送されて保存される。そして、通常の動作モードではリモコン側に内蔵された第１のメモリ７６に保存されている動作設定情報に基づいて各種の制御が実行されることになる。また、ステップ１１２は、図示しないリセットボタンを押したときや設定モード時に実行してもよい。
【産業上の利用可能性】
【０１４４】
本発明は、浴室に設置され、浴室及び浴室外の他室の換気や、浴室を暖房する機能を有する浴室空調装置に適用される。
【図面の簡単な説明】
【０１４５】
【図１】第１の実施の形態の空調装置の一例を示す構成図である。
【図２】空調ユニットの一例を示す構成図である。
【図３】空調ユニットの一例を示す構成図である。
【図４】電動ルーバの一例を示す構成図である。
【図５】空調装置の本体側制御系の一例を示す機能ブロック図である。
【図６】操作部の一例を示す構成図である。
【図７】操作部のリモコン側制御系の一例を示す機能ブロック図である。
【図８】設定項目ごとの動作設定処理およびバックアップ処理例を示すフローチャートである。
【図９】基板交換時の転送処理例を示すフローチャートである。
【符号の説明】
【０１４６】
１Ａ：空調装置、１１・・・空調ユニット、１２・・・循環ファン部、１３・・・換気ファン部、１４・・・羽根車、１５・・・循環ファンモータ、１６・・・循環ファンケース、１７・・・循環ファン吸込口、１８・・・吹出風路、１９・・・循環ファン吹出口、２０ｈ・・・ヒータ、２０ｉ・・・イオン発生器、２１・・・羽根車、２２・・・換気ファンモータ、２３・・・換気ファンケース、２４・・・換気ファン吸込口、２５・・・排気風路、２６・・・排気口、２７・・・本体ケース、２７ａ・・・副吸込口、２８ａ・・・排気ダクトジョイント、２８ｂ・・・副吸込ダクトジョイント、２９・・・副吸込風路、３０・・・換気吸込風路形成部材、３０ａ・・・換気吸込口、３０ｂ・・・換気吸込風路、３２・・・フロントパネル、３２ａ・・・吸込口グリル、３２ｂ・・・吹出口グリル、３３・・・電動ルーバ、３４ａ・・・第１の整流板、３４ｂ・・・第２の整流板、３５ａ・・・第１のルーバモータ、３５ｂ・・・第２のルーバモータ、３６ａ・・・第１のリンク機構、３６ｂ・・・第２のリンク機構、３７ａ，３７ｂ・・・軸、３８ａ，３８ｂ・・・リンクロッド、３９ｂ・・・リンクレバー、４１Ａ・・・操作部、４２・・・運転モード選択ボタン、４２ａ・・・暖房運転選択ボタン、４２ｂ・・・換気運転選択ボタン、４２ｃ・・・乾燥運転選択ボタン、４２ｄ・・・涼風運転選択ボタン、４２ｅ・・・停止ボタン、４２ｆ・・・２４時間換気運転選択ボタン、４３ａ・・・設定ボタン、４３ｂ・・・決定ボタン、４４・・・アップ・ダウンボタン、４４ａ・・・アップボタン、４４ｂ・・・ダウンボタン、４５・・・ステータスランプ、４６・・・表示部、５１・・・浴室、５２・・・洗面脱衣所、７１・・・本体側制御部、７１ａ・・・第２のメモリ、７５・・・リモコン側制御部、７６・・・第１のメモリ
【図１】
2007318572.tif 000005
【図２】
2007318572.tif 000006
【図３】
2007318572.tif 000007
【図４】
2007318572.tif 000008
【図５】
2007318572.tif 000009
【図６】
2007318572.tif 000010
【図７】
2007318572.tif 000011
【図８】
2007318572.tif 000012
【図９】
2007318572.tif 000013